(57)【要約】【課題】需要家が欲している情報を短時間で確認でき、更に耐水性能と不正防止機能を持つ電力量計の端子カバーを提供する。【解決手段】電力量計の端子ブロックに取付可能な電力量計の端子カバーであって、端子ブロックの操作ボタン１３に対向する位置に角穴２を有するカバー本体１と、このカバー本体１に貼り付けられ、端子ブロックへの水の侵入を防止するとともに端子ブロックの操作ボタン１３に対向する位置に凸部８を有するゴムパッキン７とを備える。【選択図】      図１
2004226119.tif 000002
【特許請求の範囲】
【請求項１】
電力量計の端子ブロックに取付可能な電力量計の端子カバーであって、
前記端子ブロックの操作部に対向する位置に穴部を有するカバー本体と、
このカバー本体に貼り付けられ、前記端子ブロックへの水の侵入を防止するとともに前記端子ブロックの操作部に対向する位置に突起状の操作部を有する防水手段と、
を備えることを特徴とする電力量計の端子カバー。
【請求項２】
前記防水手段の内の、前記カバー本体に有する穴部に対向する位置に、耐光性を有する耐光手段を設けたことを特徴とする請求項１記載の電力量計の端子カバー。
【請求項３】
前記カバー本体及び前記防水手段を前記端子ブロックに取り付ける取付部材と前記カバー本体に形成された切りおこし部とにワイヤーを通して金属部材により封印することを特徴とする請求項１又は請求項２記載の電力量計の端子カバー。
【発明の詳細な説明】
【０００１】
【発明の属する技術分野】
本発明は、例えば一般家庭に電気を供給する際に使用される電気使用量を計量する電力量計の端子カバーに関し、特に、電力量計の端子部への雨水侵入を防止して安全性を確保すると共に、電力量計の配線変更等による不正を防止し、電力消費者に電力消費情報を提供することができる電力量計の端子カバーに関する。
【０００２】
【従来の技術】
電力量計は、入力された電流と入力された電圧とに基づいて電力量を計測するもので、前記電流及び電圧を入力するための電源端子及び負荷端子等とを有する端子ブロックと、電流と電圧とに基づいて電力量を計算するＣＰＵ等を実装した基板と、この基板を取り付けたベースとを有している。
【０００３】
図４に従来の電子式電力量計の正面図を示す（非特許文献１）。図４に示す電子式電力量計は、電源端子及び負荷端子等が設けられた端子ブロック１０と、基板５１を取り付けた鋼板からなるベース５０とを有している。基板５１には、電力量の演算や端子ブロック１０からの設定／記憶操作に従って処理を実行する中央処理装置（ＣＰＵ）５２と、電力量等を表示する液晶表示装置（ＬＣＤ）５３とが実装されている。
【０００４】
図４に示す端子ブロック１０に取り付け可能な端子カバーとしては、例えば図５に示すようなものがある。図５（ａ）は端子カバーの正面図、図５（ｂ）は端子カバーの側面図、図５（ｃ）は端子カバーの背面図である。図５において、カバー本体９は、主に金属からなり、カバー本体９の裏面には、絶縁性のゴムパッキン７が貼り付けられている。
【０００５】
また、カバー本体９及びゴムパッキン７の夫々の両側には貫通穴３が設けられており、この貫通穴３には封印ネジ５が挿通し、封印ネジ５の先端のネジ部が電力量計の端子ブロック１０に取付けられることで、カバー本体９及びゴムパッキン７が端子ブロック１０に取り付けられるようになっている。封印ネジ５の頭部には小径の封印穴６が形成されている。また、カバー本体９には、２つの封印ネジ５に対応して、カバー本体９を切りおこした山状の２つの切り起こし部４が形成されている。
【０００６】
電力量計の端子ブロック１０は、図６に示すように、ビード１１、端子金具１２、データの設定／記憶操作を行うための操作部ボタン１３を有している。端子金具１２は、電源端子１２ａ〜１２ｃ、負荷端子１２ｄ〜１２ｆ、通信端子１２ｇからなる。
【０００７】
以上の構成において、端子カバーが、図６に示す電力量計の端子ブロック１０に取付けられた場合、端子ブロック１０のビード１１が端子カバーのゴムパッキン７に食い込むため、端子金具１２及び操作部ボタン１３への雨水の侵入を防止することができる。
【０００８】
また、カバー本体９の切りおこし部４と封印ネジ５の封印穴６とにワイヤーを通して鉛等で封印することにより、電力量計の配線変更及び操作ボタン１３の操作を不可能とすることができる。
【０００９】
これは電力量計を取付けた後、配線を変更して電力量計の正常な計量を妨げたり、時間帯別計量の場合には電力量計の時刻を変更して割安な時間帯で計量させる等の不正を防止するためである。
【００１０】
【非特許文献１】
日本電気計器検定所の電気計器型式集  型式承認番号１１２１号（第３頁の構造図及び側面図、第２０頁のベース〔１７〕、第２２頁の端子ボックス〔１９〕）
【００１１】
【発明が解決しようとする課題】
上述した従来の方法では、低圧需要家である一般家庭においては、電力量計の計量情報は、電力量計の表示により確認するものであり、表示内容はその現時点での累積電力量を確認するのみである。昨今の電力自由化に伴い、需要家の電力消費に対する意識が高まっており、累積電力量のみではなく、１時間毎又は３０分毎の消費電力等の情報を提供する必要が出てきている。
【００１２】
しかしながら、累積電力量以外の情報を電力量計に表示させようとした場合、電力量計の表示窓が増加し、電力量計の単価が高くなること又はサイクリックによる表示方法では、月毎の検針時に不要な画面が多く検針時間が長くなり、不要にコストがアップする。更に、需要家は電力量計を操作できないため、需要家が欲している情報が表示されるまで、待たなければならないという問題がある。
【００１３】
本発明は、上記に鑑みてなされたもので、その目的とするところは、需要家が欲している情報を短時間で確認でき、更に耐水性能と不正防止機能を持つ電力量計の端子カバーを提供することにある。
【００１４】
【課題を解決するための手段】
上記課題を解決するために、本発明の請求項１は、電力量計の端子ブロックに取付可能な電力量計の端子カバーであって、前記端子ブロックの操作部に対向する位置に穴部を有するカバー本体と、このカバー本体に貼り付けられ、前記端子ブロックへの水の侵入を防止するとともに前記端子ブロックの操作部に対向する位置に突起状の操作部を有する防水手段とを備えることを特徴とする。
【００１５】
請求項１の発明によれば、カバー本体に形成された穴部から防水手段を押圧すると、防水手段に形成された突起状の操作部が端子ブロック内の操作部を押圧するので、需要家は電力量計を容易に操作できることから、需要家が欲している情報を短時間で確認でき、更に耐水性能と不正防止機能を持つ電力量計の端子カバーを提供することができる。
【００１６】
請求項２の発明は、前記防水手段の内の、前記カバー本体に有する穴部に対向する位置に、耐光性を有する耐光手段を設けたことを特徴とする。
【００１７】
請求項２の発明によれば、防水手段の内の、カバー本体に有する穴部に対向する位置に設けられた耐光手段により、防水手段への光が遮られるので、防水手段の劣化を防止することができる。
【００１８】
請求項３の発明は、前記カバー本体及び前記防水手段を前記端子ブロックに取り付ける取付部材と前記カバー本体に形成された切りおこし部とにワイヤーを通して金属部材により封印することを特徴とする。
【００１９】
請求項３の発明によれば、取付部材とカバー本体に形成された切りおこし部とにワイヤーを通して金属部材により封印することにより、電力量計の配線変更及び操作ボタンの操作を不可能とし、不正を防止することができる。
【００２０】
【発明の実施の形態】
以下、本発明に係る電力量計の端子カバーの実施の形態について図面を参照しながら詳細に説明する。
【００２１】
（第１の実施の形態）
図１は第１の実施の形態に係る電力量計の端子カバーの正面図である。図２は第１の実施の形態に係る電力量計の端子カバーの平面図である。
【００２２】
図１（ａ）は端子カバーの正面図、図１（ｂ）は端子カバーのＡ−Ａ間の断面図である。図１において、カバー本体１は、主に金属からなり、カバー本体１の裏面には、絶縁性のゴムパッキン７（本発明の防水手段に対応）が貼り付けられている。
【００２３】
また、カバー本体１及びゴムパッキン７の夫々の両側には貫通穴３（図示せず）が設けられており、この貫通穴３には封印ネジ５が挿通し、封印ネジ５の先端のネジ部が電力量計の端子ブロック１０に取付けられることで、カバー本体１及びゴムパッキン７が端子ブロック１０に取り付けられるようになっている。封印ネジ５の頭部には小径の封印穴６が形成されている。また、カバー本体１には、２つの封印ネジ５に対応して、カバー本体１を切りおこした山状の２つの切り起こし部４が形成されている。
【００２４】
また、カバー本体１には角穴２（本発明の穴部に対応）が設けられており、この角穴２は、図６に示す操作ボタン１３に対向する位置に設けられている。即ち、角穴２は、カバー本体１が電力量計に取付けられた場合に、操作ボタン１３の真上に配置されるようになっている。
【００２５】
また、ゴムパッキン７は、図１（ｂ）に示すように、カバー本体１に有する角穴２を塞いでいる。ゴムパッキン７は、端子ブロック１０への水の侵入を防止するとともに、図１（ｂ）に示すように、操作ボタン１３に対向する位置で且つ操作ボタン１３に臨む面側に凸部８（本発明の突起状の操作部に対応）を有している。即ち、凸部８は、端子ブロック内の操作ボタン１３の真上に配置され、ゴムパッキン７を角穴２を通して押圧することにより、凸部８が操作ボタン１３を押圧して設定／記憶操作を可能としている。
【００２６】
なお、本発明の端子カバーを使用する場合には、電力量計の操作ボタン１３による操作内容が、需要家への情報提供のみを目的とし、電力量計の時刻変更等の計量に係る操作機能を停止する必要がある。
【００２７】
このように第１の実施の形態に係る電力量計の端子カバーによれば、カバー本体１に形成された角穴２からゴムパッキン７を押圧すると、ゴムパッキン７に形成された凸部８が端子ブロック１０内の操作ボタン１３を押圧するので、需要家は電力量計を容易に操作できることから、需要家が欲している情報を短時間で確認できる。特に、封印を開けることなく操作できることから、操作性を向上することができる。
【００２８】
更に詳しくは、使用電力量を計量する電力量計において、電力量計の耐候性能を保持した上、需要家が自らの操作により電力消費の情報を得ることができ、需要家の電力消費に対する意識が向上させることにより、電力消費の抑制及び負荷平準化を促し、結果的に電力供給設備及び負荷設備の効率的、経済的な運用を促進することができる。
【００２９】
また、端子カバーが、図６に示す電力量計の端子ブロック１０に取付けられた場合、端子ブロック１０のビード１１が端子カバーのゴムパッキン７に食い込むため、端子金具１２及び操作部ボタン１３への雨水の侵入を防止することができる。また、カバー本体９の切りおこし部４と封印ネジ５の封印穴６とにワイヤーを通して鉛等で封印することにより、電力量計の配線変更及び操作ボタン１３の操作を不可能とし、不正を防止することができる。
【００３０】
（第２の実施の形態）
次に、本発明の第２の実施の形態に係る電力量計の端子カバーを説明する。図３は第２の実施の形態に係る電力量計の端子カバーの主要部の断面図である。図３に示す断面図は、図１（ｂ）に示す端子カバーのＡ−Ａ間の断面図に対応し、第２の実施の形態では、第１の実施の形態の構成にさらに耐光性シール１５を設けたことを特徴とする。図３において、耐光性を有する耐光性シール１５は、ゴムパッキン７の内の、カバー本体１に有する角穴２に対向する位置に貼り付けられている。
【００３１】
第２の実施の形態のその他の構成は、第１の実施の形態の構成と同一であるので、同一部分には同一符号を付し、その詳細な説明は省略する。
【００３２】
このように第２の実施の形態に係る電力量計の端子カバーによれば、ゴムパッキン７の内の、カバー本体１に有する角穴２に対向する位置に貼り付けられた耐光性シール１５により、ゴムパッキン７への光が遮られるので、ゴムパッキン７の劣化を防止することができる。
【００３３】
特に、一般家庭用の電力量計は、外壁などの屋外に取付けられるため、日光によりゴムパッキン７が劣化することが考えられるが、耐光性シール１５によってゴムパッキン７の劣化を防止することができる。
【００３４】
なお、通常では、端子ブロック１０には、操作ボタン１３の設定／記憶等の操作内容が彫り込まれているが、例えば、その操作内容を前記耐光性シール１５に印刷しても良い。このようにすれば、操作性をさらに向上することができる。
【００３５】
【発明の効果】
以上説明したように本発明によれば、需要家が欲している情報を短時間で確認でき、更に、耐水性能と不正防止機能を持つ電力量計の端子カバーを提供することができる。更に詳しくは、使用電力量を計量する電力量計において、電力量計の耐候性能を保持した上、需要家が自らの操作により電力消費の情報を得ることができ、需要家の電力消費に対する意識が向上させることにより、電力消費の抑制及び負荷平準化を促し、結果的に電力供給設備及び負荷設備の効率的、経済的な運用を促進することができる。
【図面の簡単な説明】
【図１】第１の実施の形態に係る電力量計の端子カバーの正面図である。
【図２】第１の実施の形態に係る電力量計の端子カバーの平面図である。
【図３】第２の実施の形態に係る電力量計の端子カバーの主要部の断面図である。
【図４】従来の電子式電力量計の正面図である。
【図５】従来の端子カバーを示す構成図である。
【図６】図４に示す電子式電力量計に設けられた端子ブロックの正面図である。
【符号の説明】
１，９  カバー本体
２  角穴
３  貫通穴
４  切りおこし部
５  封印ネジ
６  封印穴
７  ゴムパッキン
８  凸部
１０  端子ブロック
１１  ビード
１２  端子金具
１３  操作部ボタン
１５  耐光性シール
５０  ベース
５１  基板
５２  ＣＰＵ
５３  ＬＣＤ
【図１】
2004226119.tif 000003
【図２】
2004226119.tif 000004
【図３】
2004226119.tif 000005
【図４】
2004226119.tif 000006
【図５】
2004226119.tif 000007
【図６】
2004226119.tif 000008